(57)【要約】      （修正有）【課題】身体を左右に動かす事のできない人には、痛い場所が床に当たらない様に枕などを使い身体を浮かせてあげなくてはならず、また、おしめの交換は、お尻を上に持ち上げないと、お尻の下におしめを敷く事ができない。これらの作業を力の弱い人でも１人で楽にできる敷布団を提供する。【解決手段】小さな敷布団６枚が連結して通常の大きさの１枚の敷布団になっている。連結の部分で取りはずしができ、汚れた所だけを丸洗いする事ができ、また、１枚１枚にカバーが付いているのでシーツを敷く必要はない。敷布団の両側は、キャタピラー式のチェーンの上に乗っているので、寝たきりの人を上半身おこしてあげる時も、自然にベッドと共に上に曲がる様になっており、また、ずりさがった身体は敷布団ごと軽く引っぱる事ができる。床づれ防止には、布団を使い身体から敷布団の方を、かわるがわるはずしてあげると良い。【選択図】図１
0003159490.tif 000002
【実用新案登録請求の範囲】
【請求項１】
幅３０ｃｍの敷布団が６枚連結して通常の敷布団の大きさになっています。１枚１枚にカバーが付いているのでシーツを敷く必要はありません。幅３０ｃｍの１枚の敷布団は、連結の部分で、取りはずす事が出き、汚れた１枚の布団だけを丸洗いする事ができます。乾かしている間は予備の布団を使用します。この敷布団は、両側に土台となっているキャタベラ式のチェーンを置き、その上に乗せているものです。ベッドを立てても、自然に上へ曲がる様になっており、頭の方には、軽くコロコロと引っぱる事ができるけど、足の方へはぜったい動かない様になっています。
【請求項２】
幅８ｃｍの敷布団が２０枚連結して、通常の敷布団の大きさになっています。キャタベラ式の土台の高さは１２ｃｍと、請求項１の敷布団より２倍高くなっています。この敷布団は、床づれ防止やおしめの交換などに役立ちます。床づれしている場所が敷布団に当たる部分だけをはずしてあげる事ができます。チェーンの上に乗っている敷布団を、すきな部分だけはずしたり乗せたりする事ができます。その他は請求項１と同様になります。
【考案の詳細な説明】
【技術分野】
【０００１】本考案は寝たきりの人を、自宅でも１人でも楽に介護ができ、シーツの交換  敷布団の交換  丸洗い  おしめの交換  床づれ防止、またベッドを立てて上半身をおこしてあげた場合時間がたつにつれ下の方へずりさがってしまう身体を元の上の位置までもどしてあげる作業  以上の事がラクラク敷布団で簡単に解決できます。
【背景技術】
【０００２】寝たきりの人のシーツや敷布団は汚れやすく交換がひんぱんに行われます。それらを交換する時は二人がかりでも大変な作業です。
身体が痛くて向きを左右に動かす事のできない人にとっては交換のたび地獄の思いをしなければなりません。
【考案の開示】
【考案が解決しようとする課題】
【０００３】寝たきりの人のシーツ敷布団の交換敷布団の丸洗いなどは二人がかりでも重労働です。また、ベッドで上半身をおこしてあげた場合下にずりさがってしまった身体を元の位置までもどす時は身体の下にバスタオルなどを敷いて、二人でそれを持って元の位置へもどしてあげなければなりません。また、床づれ防止の為には時間を決めて、左右へと体の向きを変えてあげなければなりません。
身体を左右に動かす事のできない人には、痛い場所が床に当たらない様に枕などを使い身体を浮かせてあげなくてはなりません。また、おしめの交換は、お尻を上に持ち上げないと、お尻の下におしめを敷く事ができません。これらの作業を力の弱い人でも１人で楽にできる方法を考えてみました。
【課題を解決するための手段】
【０００４】本考案は敷布団１枚で上記の課題をすべて解決致します。
このラクラク敷布団は、１枚の小さな布団が何枚も連結して通常の敷布団の大きさになっています。小さい布団１枚１枚にカバーが付いているので、シーツを敷く必要はありません。上半身をおこしてあげた時、時間がたつにつれ下へずりさがってしまった身体を、元の位置にもどしてあげる時は、敷布団ごと引っぱります。ベッドからはみ出した敷布団は、取りはずして、そのまま足の方へ取り付けます。その時、汚れているカバーや、布団はそのまま取りはずして丸洗いでき、乾かしている間は予備の布団を使用します。敷布団の両側はチェーンの上に乗っているので、片手でもコロコロと楽に引っぱる事ができます。また、もう１組の敷布団は、これよりもさらに細かくした布団の連結によってできております。この敷布団は、床づれ防止や、おしめの交換に最適で、床づれを防止するために身体の向きを左右に変えたり、枕などを使用し、身体を浮かせてあげたり、おしめの交換時にはお尻を持ち上げたりと、いずれも身体の方を上に浮かせるやり方ではなく、この敷布団の方を身体から離してあげるという方法なのです。
【考案の効果】
【０００５】  上迷の様に寝たきりの人の介護を自宅でも、力の弱い人でも、１人で楽に、シーツの交換、敷布団の交換、丸洗い、おしめの交換、床づれ防止、下へずりさがった身体を元の枕位置までもどしてあげる作業、以上の事が簡単にできます。
【考案を実施するための最良の形態】
【０００６】  この敷布団は普通のベッドの上に置くだけで良いのです。
まず最初に、土台となる２本のチェーンを両側に置きます。その上に小さな、カバー付きの布団を数枚連結して乗せます。これだけでラクラク敷布団の完成です。両側の土台はキャタベラ状態なので上へ曲がる様になっており、ベッドを立てても大丈夫、またチェーンは頭の方へは軽く動くけれど足の方へは、ぜったいに動きません。
【実施例】
【０００７】以下、添付図面に従って説明致します。
１  帳３０ｃｍのカバーの付いている敷布団が６枚連結して通常の敷布団の大きさになっています。
２  敷布団を軽く引っぱるためチェーンで、敷布団はこの上に乗せます。
３  土台となるキャタベラで、ベッドを立てても自然に上へ曲がります。
４  帳８ｃｍのカバーの付いている敷布団が２０枚連結しています。
５  取りはずした布団はキャタベラの中にかくれます。
６  取りはずした敷布団は、そのまま７の部分へ取り付けます。
８  床づれ防止のため、時々敷布団をはずしてあげます。
９  敷布団の中の状態で１番下に軽い素材の板を敷きます。
１０  スポンジです。
１１  綿はできるだけ軽くやわらかいもので、水切りの良い素材のものが良いです。
１２  土台のキャタベラは敷布団が横にずれるのを防ぐ為、敷布団より少し高くなっています。
１３  敷布団を引っはる時以外は、１人で動くと危険なので、これで動かない様に止めておきます。
１４  敷布団の連結をする金具です。
１５  床づれ防止用の敷布団で、左側を下にはずした時です。
１６  底に付いている細長い金属がそのままチェーンの上に乗ります。
１７  敷布団を裏返しにした図で、体重のある人が寝てもへこまない金属です。
【図面の簡単な説明】
【０００８】
【図１】チェーンが見える状態の敷布団全面図です。
【図２】床づれ防止用の敷布団全面図です。
【図３】敷布団ごと引っぱって、元の位置にもどしてあげた時の図です。
【図４】床づれ防止の為に身体から敷布団を下にはずした図です。
【図５】正面図です。
【図６】幅３０ｃｍの敷布団の裏面です。
【図７】床づれ防止用の敷布団の正面図です。
【図８】幅８ｃｍの敷布団の裏面です。
【図１】
0003159490.tif 000003
【図２】
0003159490.tif 000004
【図３】
0003159490.tif 000005
【図４】
0003159490.tif 000006
【図５】
0003159490.tif 000007
【図６】
0003159490.tif 000008
【図７】
0003159490.tif 000009
【図８】
0003159490.tif 000010
【手続補正書】
【提出日】平成21年12月7日(2009.12.7)
【手続補正１】
【補正対象書類名】実用新案登録請求の範囲
【補正対象項目名】全文
【補正方法】変更
【補正の内容】
【実用新案登録請求の範囲】
【請求項１】
幅３０ｃｍ長さ１００ｃｍの小さな敷布団が横に６枚連結して通常の敷布団の大きさとなり１枚の敷布団は底の部分に幅３ｃｍ長さ１００ｃｍ厚さ１．５ｃｍの鉄板が両側に１本づつとり付けられているステンレス板幅３０ｃｍ長さ１００ｃｍ厚さ４ｍｍの上に同じ面積のスポンジマットレス厚さ５ｃｍとナイロンせいの綿３ｃｍを重ねたものをのせて底にとり付けられた２本の鉄板だけを残した全体を布団生地で包んだものでできておりそれを乗せる土台となる二本のレールはベッド上の両側に１本づつ置くだけのもので１本のレールは直径５ｃｍの鉄板が外側で横幅５ｃｍ高さ４ｃｍのたまご型の鉄板が内側となり４ｃｍの軸でつないだものが敷布団と同じ長さに連結したもので横４ｃｍ高さ５ｃｍ長さ１８０ｃｍという土台になり、またその内側には直径１ｃｍ幅１．５ｃｍの筒状の中に長さ４ｃｍの細い鉄筋を入れそれが連結して鉄のチェーンとなり土台の内側に付いている直径７ｍｍの軸にかぶせた直径９ｍｍの筒の上に乗せて土台のレール全体にまかれているものでできており、この二本の土台のレールは三ヵ所で長さ１００ｃｍの鉄筋でずれない様に止めてから小さな敷布団６枚を連結してチェーンの上に乗せたものが私の考案とする介護の手助けをしてくれるラクラク敷布団です。
【請求項２】
小さな敷布団が横に３０枚連結して通常の敷布団の大きさとなるもので１枚の敷布団は底のステンレス板幅６ｃｍ長さ１００ｃｍ厚さ４ｍｍの上に同じ面積のスポンジマットレス厚さ５ｃｍナイロンせいの綿３ｃｍを重ねたものを布団生地で包んだものでまた底のステンレス板のうら側には幅２．５ｃｍ長さ１００ｃｍ厚さ１．５ｃｍの鉄板がまん中の５０ｃｍの所から両側にそれぞれ４０ｃｍのびる様にスライド式になっているものをとり付けられているものでできており土台のチェーンの上に連結して乗せるものですが連結する時に使用するためにスライド式の鉄板の両はじに長さ４ｃｍで片方にクリップの付いているくさりが１本づつとり付けられまたＬ字型の引っかけ金具が付いているものでこれに引っかけて連結する仕組みになっているものですが乗せるチェーンは請求項１と同じものですが土台の方は高さが８ｃｍとなり、これは敷布団のすきな部分だけをはずしたり乗せたりする為に高くしたもので床づれ防止などの手助けをしてくれるラクラク敷布団です。
【手続補正書】
【提出日】平成22年2月26日(2010.2.26)
【手続補正１】
【補正対象書類名】実用新案登録請求の範囲
【補正対象項目名】全文
【補正方法】変更
【補正の内容】
【実用新案登録請求の範囲】
【請求項１】
幅３０ｃｍ長さ１００ｃｍの小さな敷布団が横に６枚連結して縦１８０ｃｍ横１００ｃｍの敷布団となり、小さな敷布団は底の部分に幅３ｃｍ長さ１００ｃｍ厚さ１．５ｃｍの鉄板が両側に１本づつとり付けられているステンレス板幅３０ｃｍ長さ１００ｃｍ厚さ４ｍｍの上に同じ面積のスポンジマットレス厚さ５ｃｍとナイロン製の綿３ｃｍを重ねたものをのせて底にとり付けられた２本の鉄板だけを残した全体を布団生地で包んだものでできておりそれを乗せる土台となる二本のレールはベッド上の両側に１本づつ置くだけのもので１本のレールは直径５ｃｍの鉄板が外側で横幅５ｃｍ高さ４ｃｍの卵型の鉄板が内側となり４ｃｍの軸でつないだものが敷布団と同じ長さに連結したもので幅４ｃｍ高さ５ｃｍ長さ１８０ｃｍという土台になり又その内側には直径１ｃｍ幅１．５ｃｍの筒状の中に長さ４ｃｍの細い鉄筋を入れ、それが連結して鉄のチェーンとなり土台の内側に付いている直径７ｍｍの軸にかぶせた直径９ｍｍの筒の上に乗せて土台のレール全体にまかれているものでできており、この２本の土台のレールは三ヵ所で長さ１００ｃｍの鉄筋で、ずれない様に止めてから小さな敷布団６枚を連結してチェーンの上に乗せるという敷布団．
【請求項２】
幅８ｃｍ長さ１００ｃｍの小さな敷布団が横に２０枚連結して縦１６０ｃｍ横１００ｃｍの敷布団となり、小さな敷布団は底中央に幅２．５ｃｍ長さ１００ｃｍ厚さ１．５ｃｍの鉄板が１本とり付けられているステンレス板幅８ｃｍ長さ１００ｃｍ厚さ４ｍｍの上に同じ面積のスポンジマットレス厚さ５ｃｍとナイロン製の綿３ｃｍを重ねたものをのせて底にとり付けられた１本の鉄板だけを残した全体を布団生地で包んだものでできており、底にとり付けられた１本の鉄板は小さな敷布団の両端の所から左右共に上へ折り曲がる仕組でさらに４ｃｍ長くなり、またそこから下へ折り曲がる仕組で１ｃｍ長くなっているもので、これは土台のチェーンの上に乗せておさえる仕組のものであり、幅５ｃｍ高さ８ｃｍの卵型鉄板が直径３ｃｍの歯車を固定した直径７ｍｍ長さ５ｃｍの軸で左右の鉄板を固定して敷布団全体の長さに連結したものが幅５ｃｍ高さ８ｃｍ長さ１６０ｃｍの土台となり、その内側には直径１ｃｍ幅１ｃｍの筒状の中に長さ４ｃｍの細い鉄筋を入れたものを連結して鉄のチェーンを作り、土台の内側に付いている直径７ｍｍの軸にかぶせた直径９ｍｍの筒の上に乗せてレール全体にまいたものが土台のレールとなり、ベッドの両側に１本づつ置いたその上に小さな敷布団２０枚を連結して乗せて１枚１枚をチェーンに嵌め込んでおさえるという仕組の敷布団．